(57)【要約】      （修正有）【課題】ユーザが自身で定型文書を選択しなくても、簡便な操作によって自動的にユーザに必要な定型文書を選択する機能を備えた情報端末及び定型文編集方法を提供する。【解決手段】情報端末１００は、現在時刻を計測するタイマ６０ａと、変数を含む定型文と前記定型文の使用時間帯を特定する情報とを対応付けて記憶する記憶部４２と、前記タイマ６０ａにより計時された前記現在時刻を前記使用時間帯に含む前記定型文を前記記憶部４２から読み出す読み出し部と、前記読み出し部で読み出した前記定型文中の前記変数を変更する編集部と、を備える。【選択図】図２
2013114634.tif 000002
【特許請求の範囲】
【請求項１】
現在時刻を計測するタイマと、
変数を含む定型文と前記定型文の使用時間帯を特定する情報とを対応付けて記憶する記憶部と、
前記タイマにより計時された前記現在時刻を前記使用時間帯に含む前記定型文を前記記憶部から読み出す読み出し部と、
前記読み出し部で読み出した前記定型文中の前記変数を変更する編集部と、
を備えることを特徴とする情報端末。
【請求項２】
前記読み出し部は、優先度の高い前記定型文を読み出す、
ことを特徴とする請求項１に記載の情報端末。
【請求項３】
前記編集部は、ボタンの繰り返し操作に応じて、前記変数を一定量増加又は一定量減少させる、
ことを特徴とする請求項１又は２に記載の情報端末。
【請求項４】
前記ボタンは、物理ボタンから構成されることを特徴とする請求項３に記載の情報端末。
【請求項５】
タイマが現在時刻を計測する計測工程と、
変数を含む定型文と前記定型文の使用時間帯を特定する情報とを対応付けて記憶する記憶工程と、
前記タイマにより計時された前記現在時刻を前記使用時間帯に含む前記定型文を前記記憶工程から読み出す読み出し工程と、
前記読み出し工程で読み出した前記定型文中の前記変数を変更する編集工程と、
を含むことを特徴とする定型文編集方法。
【発明の詳細な説明】
【技術分野】
【０００１】
本発明は、定型文自動選択機能を備えた情報端末及び定型文編集方法に関する。
【背景技術】
【０００２】
電子メールを送信する際、適当な定型文書を選択し、選択した定型文を任意に編集して送信対象の文面を作成し、それを送信することが一般に行われている。
【０００３】
この種の選択、編集、送信作業を簡易化する技術が、特許文献１に開示されている。この技術によれば、複数の定型文書の中から任意のものを選択し、送信日時を指定すると、指定された日時に、選択した定型文書が送信される。
【先行技術文献】
【特許文献】
【０００４】
【特許文献１】特開２０００−１７２５８１号公報
【発明の概要】
【発明が解決しようとする課題】
【０００５】
この技術は、予定されている場面やイベントには、適切なメールを送信できるが、突発的な場面には対応できない。例えば、通勤途中で電車遅延が発生した場合に、遅刻することや、遅刻の程度を伝える電子メールを送信することには利用できない。このような場面では、従来通り、ユーザ自ら、複数ある定型文書のうちから一つを選択し、それを編集し、送信するという作業を行わなければならない。しかし、このような必要が発生する場面は、満員電車の中等、情報端末の操作環境としては劣悪なことも多く、定型文の選択、編集、送信、いずれも容易ではないことが多い。
【０００６】
一方で、予定外の事象が発生した場面で送信する文書は比較的限定されており、また、伝えるべき内容もある程度限定されており、複雑な内容の文書を送信する必要のないことが多い。例えば、上述の遅刻の例であれば、遅刻すること、遅刻の程度等が連絡できれば、十分である。
【０００７】
そこで、ユーザが自身で定型文書を選択しなくても、簡便な操作によって自動的にユーザに必要な定型文書を選択する機能を備えた情報端末及び定型文編集方法を提供することが、本発明が解決しようとする課題である。
【課題を解決するための手段】
【０００８】
前記課題を解決するために、本発明の第１の観点に係る情報端末は、現在時刻を計測するタイマと、変数を含む定型文と前記定型文の使用時間帯を特定する情報とを対応付けて記憶する記憶部と、前記タイマにより計時された前記現在時刻を前記使用時間帯に含む前記定型文を前記記憶部から読み出す読み出し部と、前記読み出し部で読み出した前記定型文中の前記変数を変更する編集部と、を備える。
【０００９】
また、本発明の第２の観点に係る定型文編集方法は、タイマが現在時刻を計測する計測工程と、変数を含む定型文と前記定型文の使用時間帯を特定する情報とを対応付けて記憶する記憶工程と、前記タイマにより計時された前記現在時刻を前記使用時間帯に含む前記定型文を前記記憶工程から読み出す読み出し工程と、前記読み出し工程で読み出した前記定型文中の前記変数を変更する編集工程と、を含む。
【発明の効果】
【００１０】
本発明によれば、ユーザが自身で定型文書を選択しなくても、簡便な操作によって自動的にユーザに必要な定型文書を選択する機能を備えた情報端末及び定型文編集方法を提供することができる。
【図面の簡単な説明】
【００１１】
【図１】実施形態に係る情報端末の外観図である。
【図２】情報端末のブロック図である。
【図３】定型文データ等を格納した定型文データベースである。
【図４】定型文送信までのフローチャートである。
【図５】ＩＤ取得処理のフローチャートである。
【図６】編集準備処理のフローチャートである。
【図７】変数編集処理のフローチャートである。
【発明を実施するための形態】
【００１２】
以下、本発明の実施形態を、図面を参照して説明する。
【００１３】
（実施形態１）
実施形態１に係る情報端末１００は、定型文書を編集して、電子メールを送信する機能を有するスマートフォンであり、図１に外観を示すように、筐体１、タッチパネル（ディスプレイ）２、ＬＥＤ（Light Emitting Diode）３、ボタン４ａ〜４ｄ、を備える。
【００１４】
タッチパネル２は、液晶表示パネル、ＥＬ（Electro Luminescence）パネル等の表示パネルとデジタイザとから構成され、文書、画像等を表示すると共に入力装置として機能する。なお、タッチパネル２は、入力操作用に種々のボタン、アイコン等の操作用の画像を表示する。物理的なボタン４ａ〜４ｄと区別するため、これらをソフトウエアボタンと呼ぶこととする。
【００１５】
ＬＥＤ３は、メール送信完了時等に発光してユーザに通知する装置であり、情報端末１００の任意の位置に配置されている。
【００１６】
ボタン４ａ〜４ｄは、物理的に配置されたボタンであり、ボタン４ａ及びボタン４ｂは筐体１の正面パネルに設置されており、ボタン４ｃ及びボタン４ｄは筐体１の側面に設置され、外部から押操作可能である。また、ボタン４ａ〜４ｄは、後述する操作部５０を構成する。
【００１７】
ボタン４ａ〜４ｄは、ボタン数に限りがあるため、場面に応じて種々の機能に使用される。本実施形態においては、ボタン４ａは、スリープ状態にある情報端末１００を起動するボタン、ボタン４ｂは、定型文を用いたメール送信を行うことを指示するボタン、ボタン４ｃは定型文中の変数を大きくすることを指示するボタン、ボタン４ｄは、定型文中の変数を小さくするボタン、として機能する。
【００１８】
情報端末１００は、図２のブロック図に示すように、回路構成として、制御部１０、ＲＡＭ（Random Access Memory）２０、送受信部３０、記憶部４０、操作部５０、タイマ部６０、を備える。ＲＡＭ２０、送受信部３０、記憶部４０、操作部５０、タイマ部６０、タッチパネル２、ＬＥＤ３は制御部１０に接続されている。
【００１９】
制御部１０は、ＣＰＵ（Central Processing Unit）を備え、記憶部４０に格納されている様々なプログラムを実行し、接続されている各部の動作を制御する。
【００２０】
ＲＡＭ２０は、情報端末１００のメインメモリを構成し、制御部１０がプログラムを実行するためのワークエリアや、ユーザによる入力情報を一時的に保存するための記憶媒体として使用される。
【００２１】
送受信部３０は、変復調回路やアンテナ等を備え、制御部１０の信号に基づいて、メールデータの変復調、送受信を行う。
【００２２】
記憶部４０は、ＲＯＭ（Read Only Memory）、フラッシュメモリ等から構成され、種々のプログラム、固定データ等と共にメーラプログラム４１と定型文ＤＢ（データベース）４２とを記憶する。メーラプログラム４１は、メールデータを編集、送信、受信、表示するプログラムである。
【００２３】
定型文ＤＢ４２は、１）メール送信用の定型文、２）その定型文を選択する基準、３）定型文を編集するルール、を格納したＤＢであり、図３に示すように、ＩＤフィールドＦａ、行動名フィールドＦｂ、宛先フィールドＦｃ、定型文フィールドＦｄ、実行カレンダフィールドＦｅ、範囲フィールドＦｆ、優先度フィールドＦｇ、ステータスフィールドＦｈ、送信設定フィールドＦｉ、繰り返しフィールドＦｊを備える。
【００２４】
ＩＤフィールドＦａには、定型文を特定するＩＤ（Identification)が格納されている。
【００２５】
行動名フィールドＦｂには、定型文の内容を端的に表す名称が登録されている。例えば、第１エントリには、「仕事（開始）」という名前が登録されている。
【００２６】
宛先フィールドＦｃには、定型文を用いて作成した電子メールを送信する宛先を特定するデータが登録されている。宛先を特定するデータは、電子メールそのものでも、図示せぬ電話帳データ等を用いてアドレスを特定するための他の識別情報（名前、ニックネーム、略号等）でもよい。
【００２７】
定型文フィールドＦｄには、編集・送信対象の定型文が格納されている。定型文は変数ｘを含む。ユーザはその変数の値をボタン操作によって変更することにより、定型文を編集することができる。例えば、「（氏名）です。ｘ分遅れます。」という定型文が第１エントリに格納されているが、ボタン操作によって「ｘ」という変数の値を変更することにより、「５分遅れます。」、「６０分遅れます。」等の文を作成できる。また、「（氏名）」にはユーザ自身の名前データが予め登録されている。
【００２８】
実行カレンダフィールドＦｅ、範囲フィールドＦｆ、優先度フィールドＦｇ、ステータスフィールドＦｈには、複数の定型文から一つを選択するための条件が格納されている。
【００２９】
実行カレンダフィールドＦｅには、対応する定型文を選択する曜日と基準時刻が登録されている。
【００３０】
範囲フィールドＦｆには、実行カレンダフィールドＦｅに登録されている基準時刻を基準に、どの時間範囲にあるときに、その定型文を選択するかを定める情報が登録されている。
【００３１】
例えば、第１エントリの実行カレンダフィールドＦｅには、「月〜金」と「８：１５から」が登録され、範囲フィールドＦｆには、「３３分間」が登録されている。従って、月曜から金曜の８：１５〜８：４８分の間に、対応する「（氏名）です。ｘ分遅れます。」の定型文が読み出される。また、例えば、第２エントリの実行カレンダフィールドＦｅには、「月〜金」と「１７：４５から」が登録され、範囲フィールドＦｆには、「６０分間」が登録されている。従って、月曜から金曜の１７：４５〜１８：４５分の間に、対応する「（氏名）です。ｘ分後に帰宅します。」の定型文が読み出される。
【００３２】
優先度フィールドＦｇには、複数の定型文が選択対象のときにどちらを優先して読み出すべきかを示す優先順位が登録されている。
【００３３】
ステータスフィールドＦｈには、対応する定型文を読み出す状態にあるか否かを示すステータス情報が登録されている。
【００３４】
送信設定フィールドＦｉには、定型文を、ユーザの「送信」の操作なしに送受信部３０を介して外部に送信させるか否かのデータが登録されている。
【００３５】
繰り返しフィールドＦｊには、一度選択した定型文を、その後も選択対象とするか否かを示すデータが格納されている。
【００３６】
なお、定型文ＤＢ４２に登録されている定型文は、工場出荷時等に、デフォルトで記憶されているものでもよく、或いは、ユーザ自身が通常の文書作成・編集機能を用いて登録したものでもよい。また、変数「ｘ」は、情報端末１００のシステムが変数として認識できるものならば、任意に変更可能である。
【００３７】
図２に戻り、タイマ部６０は、ＲＴＣ（Real Time Clock）６０ａと、起動時間タイマ６０ｂと、修正時間タイマ６０ｃとを備える。
【００３８】
ＲＴＣ６０ａは、現在の曜日、日時分秒を計測する。
【００３９】
起動時間タイマ６０ｂ、修正時間タイマ６０ｃは、アップカウンタやダウンカウンタから構成されており、制御部１０の信号に基づいて所定の制限時間を計測する。
【００４０】
起動時間タイマ６０ｂは、スリープ状態にある情報端末１００が起動されてから、定型文を用いたメール送信が指示されるまでの制限時間を計測する。ボタン４ｂの押操作により、定型文を用いたメール送信が指示されないまま、起動時間タイマ６０ｂの計測が終了すると、定型文を用いたメール送信のための処理が終了する。
【００４１】
修正時間タイマ６０ｃは定型文中の変数を変化するボタン操作の入力を受け付ける制限時間を計測する。定型文を用いたメール送信が指示されても、メールを送信する指示がないまま時間が経過し、修正時間タイマ時間タイマ６０ｃの計測が終了すると、定型文を用いたメール送信のための処理が終了する。
【００４２】
次に、定型文ＤＢ４２に格納されているデータを使って、ユーザ（田中太郎氏）が定型文書を読み出し、それを編集し、送信する動作を、図４、図５、図６、図７に示すフローチャートを参照して説明する。なお、前提として、図３に示す各定型文の中の「（氏名）」には、例えば、ユーザ自身の操作によりユーザの名前である、「田中太郎」が設定されているものとする。
【００４３】
情報端末１００のスタンバイ中に端末起動ボタン４ａが押下されると、選択条件に合致する定型文を自動的に特定する（ステップＳ１）。
【００４４】
この動作を、図５を参照して詳細に説明する。
【００４５】
まず、制御部１０は、起動時間タイマ６０ｂのカウント動作を開始させる（ステップＳ１１）。
【００４６】
次に、制御部１０は、定型文ＤＢ４２のステータスフィールドＦｈのデータが「実行中」のエントリの中から、ＲＴＣ６０ａが計測している曜日、日時分秒と、実行カレンダフィールドＦｅ、範囲フィールドＦｆと、を参照し、ＲＴＣ６０ａが計測している曜日、日時分秒に合致するものが存在するかを判別する（ステップＳ１２）。
【００４７】
該当するエントリが存在していれば（ステップＳ１２；ＹＥＳ）、制御部１０は優先度フィールドＦｇを参照し、最も優先度の高いエントリの定型文フィールドＦｄに登録されている定型文を取得する（ステップＳ１３）。
【００４８】
条件に合致する定型文ＩＤが存在しなければ（ステップＳ１２；ＮＯ）、制御部１０は処理を終了する。
【００４９】
図４に戻り、ステップＳ１で現在日時分秒に対応する定型文を選択すると、選択した文書を編集するための準備処理である編集準備処理を実行する（ステップＳ２）。
【００５０】
この編集準備処理の詳細を、図６を参照しながら、説明する。
【００５１】
編集準備処理において、制御部１０は、起動時間タイマ６０ｂのカウント動作中にボタン４ｂが押下されたかを判別する（ステップＳ２１）。即ち、スリープ状態にあった情報端末１００をボタン４ａを操作して起動してから、起動時間タイマ６０ｂが計測する時間制限のうちに、定型文を用いたメール送信を行うことを指示するボタン４ｂが操作されたか否かを判別する。
【００５２】
制御部１０は、ボタン４ｂが押下されたと判別すれば（ステップＳ２１；ＹＥＳ）、起動時間タイマ６０ｂのカウント動作を終了させ、修正時間タイマ６０ｃのカウント動作を開始させる（ステップＳ２２）。
【００５３】
制御部１０は、ボタン４ｂが押下されなかったと判別すれば（ステップＳ２１；ＮＯ）、処理を終了する。
【００５４】
制御部１０は、修正時間タイマ６０ｃのカウント動作を開始させた後、メーラプログラム４１をＲＡＭ２０に展開する。また、制御部１０は取得した定型文と対応する宛先データとをメーラプログラム４１に提供する。また、このとき制御部１０は、定型文データ内の変数の値をデフォルト値、例えば、「０」にセットする（ステップＳ２３）。
【００５５】
メーラプログラム４１が起動すると、メーラプログラム４１は、制御部１０はタッチパネル２を介してメール編集画面を表示させ、ＬＥＤ３を介して、ユーザにメーラプログラム４１の起動を通知し（ステップＳ２４）、処理を変数編集処理に返す。
【００５６】
図４に戻り、ステップＳ２の編集準備処理終了後、メーラプログラム４１は、定型文データ内の変数の値を変更する変数編集処理を実行する（ステップＳ３）。
【００５７】
この変数編集処理を、図７を参照して詳細を説明する。
【００５８】
制御部１０は、修正時間タイマ６０ｃのカウント動作中、即ち、制限時間内にボタン４ｃが押下されたかを判別する（ステップＳ３１）。
【００５９】
制御部１０は、ボタン４ｃが押下されたと判別すれば（ステップＳ３１；ＹＥＳ）、変数ｘの値を所定の値、例えば、１０増加させる（ステップＳ３３）。
【００６０】
制御部１０は、ボタン４ｃが押下されなかったと判別すれば（ステップＳ３１；ＮＯ）、修正時間タイマ６０ｃのカウント動作中にボタン４ｄが押下されたかを判別する（ステップＳ３２）。
【００６１】
制御部１０は、ボタン４ｄが押下されたと判別すれば（ステップＳ３２；ＹＥＳ）、変数ｘの値を所定の値、例えば１０減少させる（ステップＳ３４）。
【００６２】
制御部１０は、ボタン４ｄが押下されなかったと判別すれば（ステップＳ３２；ＮＯ）、修正時間タイマ６０ｃの起動から所定の時間、例えば１０秒程度経過した後に、処理を終了する。
【００６３】
変数ｘの値が増減（ステップＳ３３、ステップＳ３４）された後、制御部１０は、修正時間タイマ６０ｃのカウント動作をリスタートさせる（ステップＳ３５）。
【００６４】
制御部１０は、修正時間タイマ６０ｃのカウント動作をリスタートさせた後、ボタン４ａが押下されたかを判別する（ステップＳ３６）。
【００６５】
制御部１０は、ボタン４ａが押下されたと判別すれば（ステップＳ３６；ＹＥＳ）、処理を送信処理に返し、修正時間タイマ６０ｃを終了させる。
【００６６】
制御部１０は、ボタン４ａが押下されなかったと判別すれば（ステップＳ３６；ＮＯ）、処理をＳ３１に戻す。
【００６７】
図４に戻り、ステップＳ３の変数編集処理終了後、制御部１０はメーラプログラム４１から編集作業の終了した定型文書データを受信し、それを送受信部３０に出力する。そして、送受信部３０はこれを外部に送信する。また、制御部１０はタッチパネル２にメール送信結果を表示させ、ＬＥＤ３を点滅させてメール送信結果をユーザに通知する（ステップＳ４）。
【００６８】
制御部１０は、今回使用した定型文の繰り返しフィールドＦｊが「はい」（繰り返し）に設定されているか否かを判断する（ステップＳ５）。
【００６９】
繰り返しフィールドＦｊが「はい」になっていれば（ステップＳ５；ＹＥＳ）、制御部１０は処理を終了する。
【００７０】
繰り返しフィールドＦｊが「いいえ」になっていれば（ステップＳ５；ＮＯ）、以後、その定型文を使用しないように、制御部１０はステータスフィールドＦｈを「終了」に書き換えて、処理を終了する（ステップＳ６）。
【００７１】
このようにして、情報端末１００により複数の定型文のうちから、起動時点の曜日日時文秒に該当する定型文が自動的に読み出され、その定型文中の変数をユーザの操作により物理ボタンの繰り返し操作により簡単に修正して、電子メールにより送信することができる。従って、タッチパネル２の画面を見ながら、タッチパネル２を操作して定型文を選択し、定型文を編集するといった煩雑な作業をしなくとも、必要なメールを送信することができる。なお、手動により定型文を読み出して編集送信するという動作も併用されている。
【００７２】
次に、上述の動作を具体例を参照して説明する。例えば、ユーザ（田中太郎氏）が情報端末１００を使って英語教室に２０分遅れる旨のメールを水曜１８：００に送信する場面を想定する。情報端末１００のスタンバイ時にボタン４ａが押下されると、制御部１０は図４に示す処理を開始する。
【００７３】
まず、ステータスフィールドＦｈを参照すると「実行中」であるエントリのＩＤはＩＤ１、ＩＤ２、ＩＤ３である。ＩＤ１の実行カレンダフィールドＦｅと範囲フィールドＦｆとには、「月〜金」、「８：１５から」、「３３分間」というデータが存在する。ボタン４ａが押下された時間は水曜１８：００なので、ＩＤ１の条件は該当しない。
【００７４】
ＩＤ２を参照すると、「水」、「１７：４５から」、「６０分間」というデータが存在する。ボタン４ａが押下された時間は水曜１８：００なので、ＩＤ２も該当する。
同様にＩＤ３を参照すると、「水」、「１７：３０から」、「６０分間」というデータが存在する。ボタン４ａが押下された時間は水曜１８：００なので、ＩＤ３も該当する。
該当するＩＤが複数あるので、さらに、優先度フィールドＦｇを参照すると、ＩＤ２の優先度は「２」に設定されていて、ＩＤ３の優先度は「１」に設定されている。ＩＤ３の方がＩＤ２よりも優先度が高いので、制御部１０はＩＤ３の定型文と宛先データを取得する。
【００７５】
制御部１０がＩＤ３を取得し、所定の時間内にボタン４ｂが押下されると、制御部１０は、ＩＤ３が持つ宛先データと登録されているユーザの名前データが代入された定型文データとを、すなわち、「英語教室」と「田中太郎です。ｘ分遅れます。」とをメーラプログラム４１に出力する。また、制御部１０は変数ｘを判別し、判別した変数ｘの値を０にセットする。
【００７６】
ここで、ユーザは、更新の単位が１０分単位であること、数値を上げる場合にはボタン４ｃを操作することを記憶しており、ボタン４ｃを２回押下する。これにより、変数ｘの値は２０に編集される。最後に送信を指示するボタン４ａが押下されると、「英語教室」宛に「田中太郎です。２０分遅れます。」という内容のメールが送信される。
【００７７】
また、日時情報だけでなくＧＰＳ（Global Positioning System）の位置情報も用いて、定型文書データを作成してもよい。例えば、図３に示すＩＤ３の定型文フィールドＦｇには、ＧＰＳにより取得した位置情報が定型文中に埋め込まれている。
【００７８】
図３に示す定型文ＤＢ４２のＩＤ４の送信設定フィールドＦｃは「自動」に設定されており、実行カレンダフィールドＦｅは「土」、「１０：００から」に設定されている。例えば、ＧＰＳの位置情報が「新宿東口前」であれば、制御部１０は、メーラプログラム４１に土曜日の１０：００に「新宿東口前」という内容のメールを作成させ、送受信部３０にそのメールを送信させる。こうすることにより、待ち合わせをする場合等の利便性が向上する。
【００７９】
以上説明したように、ユーザは、ユーザの状況に合った定型文を自動的に情報端末１００に選択させることが可能であり、さらに、物理ボタンの数回の操作で定型文データ内の変数を編集し、送信することが可能である。
【００８０】
また、情報端末１００の電池残量が僅少であるときには、タッチパネル２に電子メール編集画面や、メール送信結果を表示させなくても良い。ユーザは電子メール編集画面を確認しなくても、数回のボタン操作でメール編集やメール送信をすることができるので、情報端末１００の電池の節約に有効である。
【００８１】
また、変数の取る値の範囲を限定しても良い。例えば、０≦変数≦６０とし、ボタン４ｃ及びボタン４ｄの押下による変数の増減を１０に設定しているならば、ボタン４ｃ又はボタン４ｄの何れかを最低６回押下することにより変数の値を０又は６０にセットすることができる。これにより、ユーザは現在の変数の値を確認する必要がなくなる。
【００８２】
また、定型文の編集をしない時は、ボタン４ｃとボタン４ｄにそれぞれ音量のアップとダウンの機能を持たせても良い。音量アップと変数の値増加、音量ダウンと変数の値減少、をそれぞれ対応させることにより、ユーザは直感的に操作できる。
【００８３】
また、スタンバイ状態以外においてはボタン４ａのキー入力の受付を無効としても良い。これによりユーザは、誤って起動時間タイマ６０ｂにカウント動作をさせる虞がなくなる。
【００８４】
また、スピーカやバイブレータを内蔵させて、電子メールの送信状況を音や振動によって通知してもよい。もちろん、これらを組み合わせてユーザに通知してもよい。ＬＥＤ３の光による通知の他にも、これらのような通知方法を組み合わせることにより、より明確にユーザに電子メールの送信状況を通知することが可能である。これにより、ユーザは、電子メールの送信状況の不認識を防止することが可能である。
【００８５】
なお、ボタン類は、パネル操作を不要とするため、ボタンは物理ボタンが望ましいが、ソフトウエアボタンでもよい。
【００８６】
また、情報端末１００は、スマートフォン、ＰＤＡ（Personal Digital Assistant）、タブレット、パソコン等、任意である。
【符号の説明】
【００８７】
１        筐体
２        タッチパネル
３        ＬＥＤ
４ａ      ボタン
４ｂ      ボタン
４ｃ      ボタン
４ｄ      ボタン
Ｆａ      ＩＤフィールド
Ｆｂ      行動名フィールド
Ｆｃ      宛先フィールド
Ｆｄ      定型文フィールド
Ｆｅ      実行カレンダフィールド
Ｆｆ      範囲フィールド
Ｆｇ      優先度フィールド
Ｆｈ      ステータスフィールド
Ｆｉ      送信設定フィールド
Ｆｊ      繰り返しフィールド
１０      制御部
２０      ＲＡＭ
３０      送受信部
４０      記憶部
４１      メーラプログラム
４２      定型文ＤＢ
５０      操作部
６０      タイマ部
６０ａ    ＲＴＣ
６０ｂ    起動時間タイマ
６０ｃ    修正時間タイマ
１００    情報端末
【図１】
2013114634.tif 000003
【図２】
2013114634.tif 000004
【図３】
2013114634.tif 000005
【図４】
2013114634.tif 000006
【図５】
2013114634.tif 000007
【図６】
2013114634.tif 000008
【図７】
2013114634.tif 000009